(57)【要約】【課題】光源装置の駆動電力を切替えても光源装置を適正な温度に冷却できるプロジェクタを提供することである。【解決手段】プロジェクタ１は、光源装置としてのランプ８１と、ランプ８１を冷却するための冷却ファン３４と、冷却ファン３４から吐出される空気を流動させるダクト６０と、ランプ８１を収容し、ダクト６０と接続されて流動する空気を流入させる流入口７１と、流入させた空気を外部に流出させる流出口７２とを有する光源装置収容筐体（ランプ収容筐体７０）と、流入口７１からの空気の流入量または流入方向の少なくとも一方を可変する流入可変部５０と、流入可変部５０を動作させる駆動部３３と、ランプ８１の駆動電力を切替える電力切替制御部２０と、ランプ８１の駆動電力に基づいて、駆動部３３を制御する冷却制御部３０とを備える。【選択図】図２
2007279110.tif 000002
【特許請求の範囲】
【請求項１】
光束を射出する光源装置と、
前記光源装置を冷却するための空気を吐出する冷却ファンと、
前記冷却ファンから吐出される空気を流動させるダクトと、
前記光源装置を収容し、前記ダクトと接続されて流動する空気を流入させる流入口と、
流入させた空気を外部に流出させる流出口とを有する光源装置収容筐体と、
前記光源装置収容筐体の前記流入口から流入させる空気の流入量または流入方向の少な
くとも一方を可変する流入可変部と、
前記流入可変部を動作させる駆動部と、
前記光源装置の駆動電力を切替える制御を行う電力切替制御部と、
前記電力切替制御部の制御による前記光源装置の前記駆動電力に基づいて、前記駆動部
を制御する冷却制御部と、を備えることを特徴とするプロジェクタ。
【請求項２】
請求項１に記載のプロジェクタであって、
前記流入可変部は、扉状部材を備え、当該扉状部材は、前記駆動部により、前記扉状部
材の支点を中心に回動することを特徴とするプロジェクタ。
【請求項３】
請求項２に記載のプロジェクタであって、
前記流入可変部は、複数の前記扉状部材を備え、当該複数の扉状部材は、前記駆動部に
より、それぞれ対応する支点を中心に回動することを特徴とするプロジェクタ。
【請求項４】
請求項１に記載のプロジェクタであって、
前記流入可変部は、扉状部材を備え、当該扉状部材は、前記駆動部により、スライドし
て前記流入口の開口領域を可変させることを特徴とするプロジェクタ。
【請求項５】
請求項１に記載のプロジェクタであって、
前記流入可変部は、前記流入口の開口領域となる開口部を有する扉状部材を備え、当該
扉状部材は、前記駆動部により、スライドして前記開口部を移動させることを特徴とする
プロジェクタ。
【請求項６】
請求項１〜請求項５のいずれか一項に記載のプロジェクタであって、
前記光源装置の温度を検出する光源温度検出部を備え、
前記冷却制御部は、前記光源温度検出部で検出される前記光源装置の温度に基づいて、
前記駆動部を制御し、前記流入可変部を動作させることを特徴とするプロジェクタ。
【請求項７】
請求項１〜請求項６のいずれか一項に記載のプロジェクタであって、
前記プロジェクタの外部の温度を検出する外部温度検出部を備え、
前記冷却制御部は、前記外部温度検出部で検出した前記外部温度に基づいて前記駆動部
を制御し、前記流入可変部を動作させることを特徴とするプロジェクタ。
【請求項８】
請求項１〜請求項７のいずれか一項に記載のプロジェクタであって、
前記電力切替制御部は、前記光源装置の駆動電力を第１電力と第２電力とに切換え、第
１電力が第２電力よりも高電力の場合、前記第１電力で前記光源装置を駆動したとき、前
記冷却制御部は、前記駆動部を制御し、前記流入可変部を動作させて、前記光源装置収容
筐体の内部において、前記光源装置の外部に比べて内部に多くの空気が流入するように可
変し、前記第２電力で前記光源装置を駆動したとき、前記冷却制御部は、前記駆動部を制
御し、前記流入可変部を動作させて、前記光源装置収容筐体の内部において、前記光源装
置の内部に比べて外部に多くの空気が流入するように可変させることを特徴とするプロジ
ェクタ。
【請求項９】
請求項１〜請求項８のいずれか一項に記載のプロジェクタであって、
前記ダクトは分岐された分岐ダクトを備え、前記ダクトの一部または前記分岐ダクトの
少なくとも１つは前記光源装置収容筐体に接続され、前記光源装置収容筐体に接続されな
い前記分岐ダクトは前記プロジェクタを構成し前記光源装置以外の発熱する構成部を冷却
させるための空気を流動させることを特徴とするプロジェクタ。
【発明の詳細な説明】
【技術分野】
【０００１】
本発明は、プロジェクタに関するものである。
【背景技術】
【０００２】
近年、光源装置から射出される光束を、光変調部で画像情報に応じて変調して光学像を
形成し、形成された光学像を投射部から投射するプロジェクタは、会社や家庭に急速に普
及してきている。また、プロジェクタの光源装置を駆動する駆動電力を切替えることによ
り、輝度の切換えが行えるプロジェクタも普及してきている。
例えば、プロジェクタは、光源装置の駆動電力を高電力と低電力とに切替えることによ
り、輝度を高輝度と低輝度とに切替えている。従って、ユーザは、周囲が明るい環境で光
学像となる例えばテレビジョン放送の受信映像や受信音声を視聴する場合には、操作部を
操作して光源装置を高電力で駆動するように切替えることにより、受信映像を高輝度で投
射させることができる。また、ユーザは、周囲が暗い環境で同様にテレビジョン放送の受
信映像や受信音声を視聴する場合には、操作部を操作して光源装置を低電力で駆動するよ
うに切替えることにより、受信映像を低輝度で投射させることができる。
このように光源装置の駆動電力を切替えた場合、プロジェクタは、切替えた駆動電力（
高電力および低電力）に対応させて、光源装置を冷却する冷却ファンの駆動電圧も変更す
ることにより、光源装置がどちらの駆動電力で駆動されても最適な温度となるように制御
している。特許文献１には、機器の設定状態に応じた冷却ファンの回転数制御を行うもの
が開示されている。
【０００３】
【特許文献１】特開２００５−９９３７９号公報
【発明の開示】
【発明が解決しようとする課題】
【０００４】
しかしながら、特許文献１も同様であるが、従来のプロジェクタは、光源装置の駆動電
力切替えにおいて、駆動する電力の差（高電力と低電力との電力値の差）が大きい場合に
は、用いる冷却ファンの規格で規定される駆動電圧範囲では、調整範囲が狭いため、光源
装置を適正な温度に制御することが困難となっていた。詳細には、光源装置を高電力で駆
動した場合に、冷却ファンも高電圧で駆動して光源装置の温度を適正に制御していても、
光源装置を低電力の駆動に切替えた場合、冷却ファンも低電圧（例えば、冷却ファンの規
格の最小駆動電圧）に切替えて駆動しても、光源装置を冷却し過ぎてしまい、光源装置の
温度を適正温度に制御できないという課題があった。
【０００５】
本発明は、上記課題に鑑みてなされたものであり、光源装置の駆動電力を切替えても光
源装置を適正な温度に冷却できるプロジェクタを提供することを目的とする。
【課題を解決するための手段】
【０００６】
上述した目的を達成するために、本発明のプロジェクタは、光束を射出する光源装置と
、光源装置を冷却するための空気を吐出する冷却ファンと、冷却ファンから吐出される空
気を流動させるダクトと、光源装置を収容し、ダクトと接続されて流動する空気を流入さ
せる流入口と、流入させた空気を外部に流出させる流出口とを有する光源装置収容筐体と
、光源装置収容筐体の流入口から流入させる空気の流入量または流入方向の少なくとも一
方を可変する流入可変部と、流入可変部を動作させる駆動部と、光源装置の駆動電力を切
替える制御を行う電力切替制御部と、電力切替制御部の制御による光源装置の駆動電力に
基づいて、駆動部を制御する冷却制御部と、を備えることを特徴とする。
【０００７】
このようなプロジェクタによれば、冷却ファンから吐出される空気を流動させるダクト
と光源装置を収容する光源装置収容筐体の流入口とが接続されている。そして、冷却制御
部は、電力切替制御部の制御による光源装置の駆動電力に基づいて、駆動部を制御する。
冷却制御部に制御された駆動部により、流入可変部が流入口から流入させる空気の流入量
または流入方向の少なくとも一方を可変して、光源装置収容筐体の内部に空気を流入させ
て、光源装置を冷却する。また光源装置を冷却して温まった空気は、流出口から光源装置
収容筐体の外部に流出させる。
よって、電力切替制御部が光源装置の駆動電力を切替えた場合には、冷却制御部に制御
された駆動部により、流入可変部が流入口から流入させる空気の流入量または流入方向の
少なくとも一方を可変して、光源装置収容筐体の内部に空気を流入させて、光源装置を冷
却するため、光源装置の温度を適正な温度に冷却することができる。
なお、このような構成と動作により、切替える駆動電力の差が大きく、用いる冷却ファ
ンの駆動電圧調整範囲が狭くても、光源装置の温度を適正な温度に冷却することができる
。
【０００８】
上記プロジェクタにおいて、流入可変部は、扉状部材を備え、扉状部材は、駆動部によ
り、扉状部材の支点を中心に回動することが好ましい。
【０００９】
このようなプロジェクタによれば、流入可変部は、扉状部材を備え、扉状部材は、駆動
部により、扉状部材の支点を中心に回動することで、流入口から流入させる空気の流入量
または流入方向の少なくとも一方を適切に可変させることができ、電力切替制御部が光源
装置の駆動電力を切替えた場合には、切替える駆動電力の差が大きく、用いる冷却ファン
の駆動電圧調整範囲が狭くても、光源装置の適切な部位に空気を流入させることができる
ため、光源装置の温度を適正な温度に冷却することができる。
【００１０】
上記プロジェクタにおいて、流入可変部は、複数の扉状部材を備え、複数の扉状部材は
、駆動部により、それぞれ対応する支点を中心に回動することが好ましい。
【００１１】
このようなプロジェクタによれば、流入可変部は、複数の前記扉状部材を備え、複数の
扉状部材は、駆動部により、それぞれ対応する支点を中心に回動するため、流入口から流
入させる空気の流入量または流入方向の少なくとも一方を更に適切に可変させることがで
き、電力切替制御部が光源装置の駆動電力を切替えた場合には、切替える駆動電力の差が
大きく、用いる冷却ファンの駆動電圧調整範囲が狭くても、光源装置の適切な部位に更に
正確に空気を流入させることができるため、光源装置の温度を更に適正な温度に冷却する
ことができる。
【００１２】
上記プロジェクタにおいて、流入可変部は、扉状部材を備え、扉状部材は、駆動部によ
り、スライドして流入口の開口領域を可変させることが好ましい。
【００１３】
このようなプロジェクタによれば、流入可変部は、扉状部材を備え、扉状部材は、駆動
部により、スライドして流入口の開口領域を可変させることにより、電力切替制御部が光
源装置の駆動電力を切替えた場合には、切替える駆動電力の差が大きく、用いる冷却ファ
ンの駆動電圧調整範囲が狭くても、光源装置の適切な部位に空気を流入させることができ
るため、光源装置の温度を適正な温度に冷却することができる。
【００１４】
上記プロジェクタにおいて、流入可変部は、流入口の開口領域となる開口部を有する扉
状部材を備え、扉状部材は、駆動部により、スライドして開口部を移動させることが好ま
しい。
【００１５】
このようなプロジェクタによれば、流入可変部は、流入口の開口領域となる開口部を有
する扉状部材を備え、扉状部材は、駆動部により、スライドして開口部を移動させること
により、電力切替制御部が光源装置の駆動電力を切替えた場合には、切替える駆動電力の
差が大きく、用いる冷却ファンの駆動電圧調整範囲が狭くても、光源装置の適切な部位に
空気を流入させることができるため、光源装置の温度を適正な温度に冷却することができ
る。
【００１６】
上記プロジェクタにおいて、光源装置の温度を検出する光源温度検出部を備え、冷却制
御部は、光源温度検出部で検出される光源装置の温度に基づいて駆動部を制御し、流入可
変部を動作させることが好ましい。
【００１７】
このようなプロジェクタによれば、光源温度検出部を備え、冷却制御部は、光源温度検
出部で検出した光源温度に基づいて駆動部を制御し、流入可変部を動作させることにより
、光源装置の温度を更に適正な温度に冷却することができる。
【００１８】
上記プロジェクタにおいて、プロジェクタの外部の温度を検出する外部温度検出部を備
え、冷却制御部は、外部温度検出部で検出した外部温度に基づいて駆動部を制御し、流入
可変部を動作させることが好ましい。
【００１９】
このようなプロジェクタによれば、外部温度検出部を備え、冷却制御部は、外部温度検
出部で検出した外部温度に基づいて駆動部を制御し、流入可変部を動作させることにより
、例えば光源装置の温度と外部温度との差などを加味した冷却が行えるため、光源装置の
温度を更に適正な温度に冷却することができる。
【００２０】
上記プロジェクタにおいて、電力切替制御部は、光源装置の駆動電力を第１電力と第２
電力とに切換え、第１電力が第２電力よりも高電力の場合、第１電力で光源装置を駆動し
たとき、冷却制御部は、駆動部を制御し、流入可変部を動作させて、光源装置収容筐体の
内部において、光源装置の外部に比べて内部に多くの空気が流入するように可変し、第２
電力で光源装置を駆動したとき、冷却制御部は、駆動部を制御し、流入可変部を動作させ
て、光源装置収容筐体の内部において、光源装置の内部に比べて外部に多くの空気が流入
するように可変させることが好ましい。
【００２１】
このようなプロジェクタによれば、第２電力より高電力の第１電力で光源装置を駆動し
たとき、光源装置を収容する光源装置収容筐体の内部において、光源装置の外部に比べて
内部に多くの空気が流入するように可変することにより、光源装置の内部を冷却すること
で、発熱量の多い部位を効率的に冷却し、光源装置の温度を適正に冷却することができる
。また、第２電力で光源装置を駆動したとき、光源装置の内部に比べて外部に多くの空気
が流入するように可変することにより、光源装置の内部の冷却よりも外部を冷却すること
で、光源装置を冷却し過ぎることを防止することができ、光源装置の温度を適正温度に冷
却することができる。
【００２２】
上記プロジェクタにおいて、ダクトは分岐された分岐ダクトを備え、ダクトの一部また
は分岐ダクトの少なくとも１つは光源装置収容筐体に接続され、光源装置収容筐体に接続
されない分岐ダクトはプロジェクタを構成し光源装置以外の発熱する構成部を冷却させる
ための空気を流動させることが好ましい。
【００２３】
このようなプロジェクタによれば、ダクトの一部または分岐ダクトの少なくとも１つは
光源装置収容筐体に接続されることにより、上述したように、光源装置の温度を適正温度
に冷却することができる。また、光源装置収容筐体に接続されない分岐ダクトを流動する
空気により、光源装置以外の発熱する構成部を冷却させる。従って、分岐ダクトを備える
ことにより、光源装置の温度を適正温度に冷却できるばかりでなく、他の発熱する構成部
の冷却も兼ねることができる。
【発明を実施するための最良の形態】
【００２４】
以下、本発明の実施形態を図面に基づいて説明する。
（第１実施形態）
【００２５】
図１は、本発明の第１実施形態に係るプロジェクタの構成を示すブロック図である。図
１を用いて、プロジェクタ１の構成および動作を説明する。
【００２６】
図１に示すように、プロジェクタ１は、チューナ１１、入力選択部１２、映像音声処理
部１３、映像処理部１４、液晶パネル駆動部１５、音声処理部１６、スピーカ１７、電源
部１８、電力切替制御部２０、ランプ駆動部２１、冷却制御部３０、光源温度検出部３１
、外部温度検出部３２、駆動部３３、冷却ファン３４、キー入力処理部９０、リモコン受
光部９１および制御部１０などを有して構成される。
【００２７】
プロジェクタ１の光学系８０は、光源装置としてのランプ８１、光変調部としての液晶
パネル８２および投射部としての投射レンズ８３などを有して構成される。
【００２８】
プロジェクタ１の光源装置としてのランプ８１を冷却する冷却構造は、ダクト６０、冷
却ファン３４、ランプ８１を収容し流入口７１と流出口７２とを有する光源装置収容筐体
としてのランプ収容筐体７０、流入可変部５０としての扉状部材などを備えて構成される
。
【００２９】
プロジェクタ１の外装を構成する外装ケース４０は、吸気口４１を備え、吸気口４１の
近傍にフィルタ４２を配置して構成される。
【００３０】
プロジェクタ１は、制御部１０により統括制御されている。また、制御部１０は、ＣＰ
Ｕ（Central Processing Unit）で構成される。このＣＰＵは、ＲＯＭ（Read Only Memor
y）及びＲＡＭ（Random Access Memory）を有して構成される。
また、冷却制御部３０は、プロジェクタ１の内部の冷却動作に関する制御を行っている
。本実施形態では、冷却制御部３０は、特に光源装置としてのランプ８１の冷却動作に関
する制御を行っている。また、冷却制御部３０は、制御部１０と同様に構成されている。
なお、冷却制御部３０は、制御部１０の中の一部として構成されていても良い。
【００３１】
リモコン（リモートコントローラ）９２は、例えば押ボタン式のキースイッチを有して
おり、キースイッチを押下すると、押下されたキースイッチに応じて、リモート制御信号
をリモコン受光部９１に送信する。そして、キー入力処理部９０において、入力したリモ
ート制御信号をデジタルコードデータに変換して制御部１０に出力する。制御部１０は、
入力されたデジタルコードデータに対する制御信号を制御内容に応じて入力選択部１２や
映像音声処理部１３や電力切替制御部２０などに出力することにより、例えばテレビジョ
ン放送のチャンネル切替え、外部接続機器１００の切替え、投射条件の設定（高輝度およ
び低輝度の切替えを含む）などの動作を実行させる。
【００３２】
なお、本実施形態のプロジェクタ１は、チューナ１１を有しており、テレビジョン放送
を受信する。また、プロジェクタ１は、パソコン（パーソナルコンピュータ）、ビデオテ
ープレコーダ、ＤＶＤ（Digital Versatile Disk）プレーヤなどの外部接続機器１００を
接続することができる。
【００３３】
プロジェクタ１を構成する各部の動作を簡単に説明する。
なお、リモコン９２からのリモート制御信号により、テレビジョン放送を受信し、プロ
ジェクタ１の外部に設置されるスクリーン１５０に番組映像を投射するまでを例にして説
明する。
【００３４】
リモコン９２からのリモート制御信号により制御部１０は、入力選択部１２に制御信号
を送信する。そして入力選択部１２は、チューナ１１の受信するテレビジョン信号を映像
音声処理部１３に入力させる。映像音声処理部１３は、入力したテレビジョン信号の中の
映像データ部分を順次映像処理部１４に出力し、また、音声データ部分を順次音声処理部
１６に出力する。
【００３５】
映像処理部１４は、入力する映像データをデコードして圧縮符号化前の映像データに変
換し、これを例えばＲＧＢ信号変換やγ補正処理などを行い、映像データをビデオ信号に
変換する。そして、このビデオ信号を液晶パネル駆動部１５に出力する。液晶パネル駆動
部１５は、映像処理部１４から入力するビデオ信号と、ビデオ信号に基づく液晶パネル駆
動電圧などを光変調部としての液晶パネル８２に供給し駆動する。それ以降の動作は後述
する光学系８０の動作により、スクリーン１５０に番組映像として投射される。
【００３６】
一方、音声処理部１６は、音声データをデコードして圧縮符号化前の音声データに変換
し、これをデジタルアナログ変換して音声データをアナログ音声信号に変換して出力部と
してのスピーカ１７に出力する。なお、音声処理部１６は、音量増幅部を有しており、音
量の増幅を行ってスピーカ１７に出力する。これにより、スピーカ１７は、増幅されて入
力するアナログ音声信号を番組音声として出力する。
【００３７】
電源部１８は、プロジェクタ１の外部の商用電源などから電源ケーブル（図示省略）を
介して交流電力を導き、内蔵するＡＣ／ＤＣ変換部（図示省略）で変圧・整流・平滑など
の処理を行い、安定化させた直流電圧をプロジェクタ１を構成する各部に供給する。また
、電源部１８は、整流・平滑処理により昇圧された直流電力をランプ駆動部２１としての
バラストに供給している。
【００３８】
ランプ駆動部２１としてのバラストは、本実施形態において、ランプ８１を構成する発
光管８１０の電極間に放電経路の火種を作る始動器（イグナイタ）と、ランプ８１の特性
に基づいた制御を行う安定器（バラスト）とを含めてバラストとしている。また、本実施
形態において、ランプ８１は、交流点灯型の高圧水銀ランプを用いているため、バラスト
は、直流電圧からランプ８１を始動するためのパルス電圧を生成する回路で構成されてい
る。また、バラストは、本実施形態では、供給される直流電力から２種類の電力を生成し
ており、その２種類の電力のうち高い電力の方を高電力、低い電力の方を低電力として呼
称している。そして、この２種類（高電力および低電力）の電力が電力切替制御部２０か
らの信号により切替えられて、ランプ８１に供給されランプ８１を駆動する。また、高電
力および低電力の電力値は、使用するランプ８１の規格に対応させて設定されており、バ
ラストは、高電力値を１００％とした場合、低電力値を高電力値の−３０％の電力値とし
て生成している。
【００３９】
電力切替制御部２０は、ユーザのリモコン９２による操作を、制御部１０が輝度切替え
用の信号（電力切替信号）として受取った場合に、制御部１０からの電力切替信号により
動作し、ランプ駆動部２１としてのバラストを動作させて、ランプ８１を駆動する電力を
、高電力から低電力に、または、低電力から高電力に切替えさせる。
【００４０】
なお、ランプ８１を高電力で駆動した場合には、投射映像としての番組映像は高輝度で
投射される。逆に、ランプ８１を低電力で駆動した場合には、番組映像は低輝度で投射さ
れる。なお、高輝度および低輝度とは、お互いの相対的な輝度の高低をいっている。
【００４１】
これにより、明るい環境でプロジェクタ１を使用する場合、ユーザは、例えばリモコン
９２のキースイッチに設定される輝度切替え用のキースイッチを押下することにより、制
御部１０は、電力切替制御部２０に電力切替信号を出力する。電力切替制御部２０は、電
力切替信号を受信し、バラストに対して、ランプ８１を駆動する電力を低電力から高電力
に切替えさせて、ランプ８１に供給させる。ランプ８１は高電力で駆動されることにより
、発光量を向上させて光束を射出する。この一連の動作により、投射映像の輝度を高くす
る（高輝度にする）ことができ、スクリーン１５０に投射される映像を見易くできる。ま
た、暗い環境でプロジェクタ１を使用する場合、ユーザは、例えばリモコン９２のキース
イッチに設定される輝度切替え用のキースイッチを押下することにより、制御部１０は、
電力切替制御部２０に電力切替信号を出力する。電力切替制御部２０は、電力切替信号を
受信し、バラストに対して、ランプ８１を駆動する電力を高電力から低電力に切替えさせ
て、ランプ８１に供給させる。ランプ８１は低電力で駆動されることにより、発光量を低
下させて光束を射出する。この一連の動作により、投射映像の輝度を低くする（低輝度に
する）ことができ、スクリーン１５０に投射される映像を見易くできる。
【００４２】
なお、以降の説明において、電力切替制御部２０の制御により、ランプ駆動部２１とし
てのバラストが高電力を出力して、ランプ８１を高電力で駆動する様態を高電力モード、
同様に、低電力で駆動する様態を低電力モードという。
【００４３】
プロジェクタ１の光学系８０の構成および動作を説明する。
光学系８０は、詳細には、光源装置と、照明光学系と、光変調部と、色合成光学系と、
投射部とを有して構成されている。
【００４４】
光源装置は、本実施形態では、上述したように放電式のランプ８１を用いており、発光
管８１０で発光した光束をリフレクタ８１１で反射させて平行光として、次の照明光学系
に射出する。なお、ランプ８１は、電力切替信号を受信した電力切替制御部２０からの制
御信号を受信するランプ駆動部２１としてのバラストにより駆動される。また、本実施形
態のランプ８１は、上述した高圧水銀ランプを使用している。
【００４５】
照明光学系（図示省略）は、ランプ８１から射出された光束の照度を均一化し、各色光
（赤色光、緑色光および青色光）に分離する。
【００４６】
光変調部は、本実施形態では、液晶パネル８２を用いており、照明光学系で分離された
各色光の光束に対して画像情報に応じて変調して光学像を形成する。なお、液晶パネル８
２は、前述した液晶パネル駆動部１５により駆動される。また、本実施形態の液晶パネル
８２は、各色光に対応させて、３枚の液晶パネル８２を使用している。
【００４７】
色合成光学系（図示省略）は、照明光学系で色分離され光変調部（液晶パネル８２）で
変調された各色光の光学像を合成する。
【００４８】
投射部は、本実施形態では、各種レンズ群で構成される投射レンズ８３を用いており、
色合成光学系で合成された光学像を投射する。
上記光学系８０の構成および動作により、テレビジョン放送の番組映像をプロジェクタ
１の外部に設置されるスクリーン１５０に投射する。
【００４９】
図１を用いて、プロジェクタ１の光源装置としてのランプ８１を冷却する冷却動作を冷
却構造を含めて簡単に説明する。
ダクト６０は一方の開口端部が冷却ファン３４の吐出口（図示省略）と接続され、他方
の開口端部がランプ収容筐体７０の流入口７１と接続される。冷却ファン３４は、冷却制
御部３０の制御により駆動（回転）されることにより、外装ケース４０に備える吸気口４
１からプロジェクタ１の外部の空気（外気）を吸気する。そして、冷却ファン３４は、吸
気した空気を冷却ファン３４の吐出口からダクト６０の内部に流動させる。なお、ランプ
収容筐体７０の流入口７１には、流入可変部５０としての扉状部材が設置されており、扉
状部材は、駆動部３３の駆動により、流入口７１から流入させる空気の流入量または流入
方向の少なくとも一方を可変させている。ダクト６０内部を流動する空気は扉状部材によ
り、流入量や流入方向を規制されて流入口７１から流入し、ランプ収容筐体７０内部に流
入する。流入した空気がランプ収容筐体７０の内部を流動することにより、空気は、ラン
プ８１を構成する発光管８１０の発熱した熱を伝熱されて温まり、流出口７２から外に流
出される。流出した空気は、図示しない別のダクトなどにより、最終的にはプロジェクタ
１の外部に排気される。この一連の動作が繰返されることにより、ランプ８１（発光管８
１０）を冷却する。フィルタ４２は、冷却ファン３４が空気（外気）を吸気した際に外気
に含まれる粉塵などがプロジェクタ１の内部に取り込まれることを防止している。
【００５０】
なお、光源温度検出部３１は、ランプ収容筐体７０に設置され、ランプ８１の温度を間
接的に検出する。詳細には、ランプ８１の発光管８１０の温度と、光源温度検出部３１が
設置される部位の温度とを実験により取得し、その取得したデータに基づいて、相関関係
を把握することにより、光源温度検出部３１で検出した温度をランプ８１の発光管８１０
の温度として代用している。なお光源温度検出部３１での温度検出は、サーミスタを用い
ている。
【００５１】
また、外部温度検出部３２は、外装ケース４０の外面側に設置され、プロジェクタ１を
取り巻く周囲の外部温度（外気温度）を検出する。外部温度検出部３２での温度検出は、
サーミスタを用いている。なお、外部温度検出部３２は、プロジェクタ１の内部であって
も、正確に外気温度を検出できる部位に設置されていれば良い。例えばランプ８１の発熱
の影響を受けにくい部位や、吸気口４１近辺で冷却ファン３４の吸気による外気流入の影
響を受けにくい部位などに設置されていても良い。
【００５２】
また、冷却制御部３０は、高電力および低電力でランプ８１を駆動する場合に、冷却制
御部３０内の制御情報保存部（図示省略）に保存される制御用テーブルに基づいて、流入
可変部５０としての扉状部材を駆動する駆動部３３の動作制御と冷却ファン３４の駆動制
御を行う。なお、制御用テーブルは、光源温度検出部３１で検出されるランプ８１の温度
と、外部温度検出部３２で検出される外気温度とに対応させて、流入可変部５０としての
扉状部材を駆動する駆動部３３の動作制御仕様と冷却ファン３４の駆動制御仕様を設定し
たものである。また、制御用テーブルは、駆動電力に対応させて設定されている。また、
本実施形態では、ランプ８１の温度と外気温度との差などを加味した制御も行っている。
【００５３】
図２は、本実施形態の光源装置としてのランプを冷却する冷却構造を示す模式図であり
、同図（ａ）は、高電力モードでの流入可変部の動作を示す模式図、同図（ｂ）は、低電
力モードでの流入可変部の動作を示す模式図である。図２を用いて、冷却構造および動作
を説明する。なお、図中に示す実線矢印は、ダクト６０およびランプ収容筐体７０内部を
空気が流動する方向を模式的に示している。
【００５４】
図２（ａ），（ｂ）に示すように、ダクト６０の開口端部とランプ収容筐体７０の流入
口７１とが接続されており、流入口７１には、流入可変部５０として複数の扉状部材が設
置されている。本実施形態では、複数の扉状部材としてルーバ５１とルーバ５２との２つ
の扉状部材で構成されている。また、ルーバ５１，５２は、それぞれの支点５１０，５２
０を中心に回動可能に設置されている。なおルーバ５１，５２は、互いに独立して回動す
ることも可能であるが、本実施形態では、一様の回動角度でルーバ５１，５２は動作する
仕様としている。
なお、ランプ収容筐体７０には、ランプ８１から光束が射出される側に相対する面部に
、開口部が形成されており、その開口部には、光束を透過させるための透明部材７５が設
置されている。
【００５５】
図２（ａ）は、高電力モードでのルーバ５１，５２の回動状態を示しており、ルーバ５
１，５２により、ダクト６０から流入口７１に流入する空気の方向および量が規制される
。詳細には、ルーバ５１，５２は、ランプ収容筐体７０に流入する空気をランプ８１の外
部に比べて内部に多くの空気が流入するように回動されている。ランプ収容筐体７０に流
入した大部分の空気は、ランプ８１から光束が射出される側に流動し、ランプ８１を構成
するリフレクタ８１１の内面側に流動して発光管８１０に流動することにより、発光管８
１０から熱を放熱させる。放熱させることにより温まった空気は、リフレクタ８１１の外
面側に流動して、流出口７２から流出する。このような一連の動作により、高電力モード
での発光管８１０の冷却が行われる。なお、図中に示す実線矢印は、ダクト６０およびラ
ンプ収容筐体７０内部を空気が流動する方向を模式的に示している。
【００５６】
図２（ｂ）は、低電力モードでのルーバ５１，５２の回動状態を示している。詳細には
、ルーバ５１，５２は、ランプ収容筐体７０に流入する空気をランプ８１の内部に比べて
外部に多くの空気が流入するように回動されている。ランプ収容筐体７０に流入した大部
分の空気は、ランプ８１を構成するリフレクタ８１１の外面側に流動して発光管８１０の
発熱による放射熱で温まったリフレクタ８１１の熱を放熱させる。放熱させることにより
温まった空気は、流出口７２から流出する。このような一連の動作により、低電力モード
での発光管８１０の冷却が行われる。低電力モードでの冷却は、発光管８１０の冷却を積
極的には行わない。
【００５７】
上述した、実施形態によれば以下の効果が得られる。
（１）本実施形態のプロジェクタ１によれば、冷却ファン３４から吐出される空気を流
動させるダクト６０と光源装置としてのランプ８１を収容する光源装置収容筐体としての
ランプ収容筐体７０の流入口７１とが接続されている。そして、冷却制御部３０は、電力
切替制御部２０の制御によるランプ８１の駆動電力と、光源温度検出部３１で検出される
ランプ８１の温度と、外部温度検出部３２で検出される外気温度とに基づいて、冷却ファ
ン３４を駆動し、駆動部３３を制御する。冷却制御部３０に制御された駆動部３３により
、流入可変部５０としての複数の扉状部材となるルーバ５１，５２が流入口７１から流入
させる空気の流入量または流入方向を可変して、ランプ収容筐体７０の内部に空気を流入
させて、ランプ８１を冷却する。またランプ８１を冷却して温まった空気は、流出口７２
からランプ収容筐体７０の外部に流出させる。よって、電力切替制御部２０がランプ８１
の駆動電力を高電力および低電力に切替えた場合には、冷却制御部３０に制御された駆動
部３３により、ルーバ５１，５２が流入口７１から流入させる空気の流入量または流入方
向を可変して、ランプ収容筐体７０の内部に空気を流入させて、ランプ８１の適切な部位
に空気を流入させることによりランプ８１を冷却するため、ランプ８１の温度を適正な温
度に冷却することができる。なお、このような構成と動作により、切替える駆動電力の差
が大きく、用いる冷却ファンの駆動電圧調整範囲が狭くても、ランプ８１の温度を適正な
温度に冷却することができる。
【００５８】
（２）本実施形態のプロジェクタ１によれば、流入可変部５０としての複数の扉状部材
となるルーバ５１，５２を備えて、ルーバ５１，５２の支点５１０，５２０を中心に回動
するため、流入口７１から流入するダクト６０からの空気を適切に可変させることができ
る。そして、電力切替制御部２０がランプ８１の駆動電力を切替えた場合には、切替える
駆動電力の差が大きく、用いる冷却ファン３４の駆動電圧調整範囲が狭くても、ランプ８
１の適切な部位に空気を流入させることができるため、ランプ８１の温度を適正な温度に
冷却することができる。
【００５９】
（３）本実施形態のプロジェクタ１によれば、駆動電力の差が大きく、用いる冷却ファ
ンの駆動電圧調整範囲が狭くても、ランプ８１の温度を適正な温度に冷却することができ
るため、従来は、高電力値を１００％とした場合、低電力値は高電力値に対して−２０〜
−２５％しか下げることができなかったが、−３０〜−５０％まで下げて設定することが
可能になった。なお、前記数値は、ランプ８１の駆動電力の規格範囲内においての発明者
らによる実験結果の数値である。これにより、環境の明るさに対応させた適切な輝度で映
像を投射できるプロジェクタ１を提供することが可能となる。
【００６０】
（４）本実施形態のプロジェクタ１によれば、低電力モードにおける低電力値を従来よ
りも下げることができるため、ランプ８１の低電力化が実現できる。
【００６１】
（５）本実施形態のプロジェクタ１によれば、高電力モードおよび低電力モードにおい
て、ランプ８１の温度を適正な温度に冷却することができるため、発光管８１０の発熱に
よる白化現象や黒化現象などの不具合が改善されることにより、ランプ８１の信頼性を向
上することができる。
（第２実施形態）
【００６２】
図３は、本発明の第２実施形態に係るプロジェクタの光源装置としてのランプを冷却す
る冷却構造を示す模式図である。図３を用いて、冷却構造および動作を説明する。
【００６３】
本実施形態において、第１実施形態と異なる箇所は、流入可変部５０としての扉状部材
が第１実施形態では、ルーバ５１，５２であったのに対し、本実施形態では、１つの板状
部材５３で構成されているところである。それ以外は第１実施形態と同様である。なお、
第１実施形態と同様の構成には、同様の符号を付記している。
【００６４】
図３に示すように、流入可変部５０としての扉状部材となる板状部材５３は、ランプ収
容筐体７０の流入口７１を覆う形状で、流入口７１が形成される側面部に沿って設置され
る。そして、板状部材５３は、駆動部３３により駆動されることにより、スライドして移
動することができる。図中に示す実線矢印の方向にスライドする。そして、板状部材５３
は、スライドすることにより、流入口７１の開口領域を可変させる。
【００６５】
本実施形態の冷却制御部３０の動作は、第１実施形態と同様に、冷却制御部３０内の制
御情報保存部（図示省略）に保存されるランプ８１の駆動電力と検出温度とに対する板状
部材５３と冷却ファン３４との駆動方法を示す制御用テーブルに基づいて行われ、板状部
材５３を駆動する駆動部３３の動作制御と冷却ファン３４の駆動制御を行っている。
【００６６】
図３に示すように、図中Ａで示す範囲が高電力モードにおける開口領域（開口領域Ａ）
であり、図中Ｂで示す範囲が低電力モードにおける開口領域（開口領域Ｂ）である。冷却
制御部３０の駆動部３３に対する動作制御により、板状部材５３がスライドされて、開口
領域Ａ，Ｂが形成される。なお、図中の二点鎖線は、高電力モードでの板状部材５３のス
ライド位置を示し、実線は、低電力モードでの板状部材５３のスライド位置を示す。
【００６７】
なお板状部材５３は、高電力モードでは開口領域Ａとなるスライドを行い、低電力モー
ドでは開口領域Ｂとなるスライドを行っているが、開口領域を高電力モードと低電力モー
ドとで固定する必要はなく、光源温度検出部３１で検出する検出温度や、外部温度検出部
３２で検出する外気温度を加味して、随時開口領域を可変することでも良い。
【００６８】
本実施形態では、開口領域Ａは、開口領域Ｂに比べて領域が狭くなっている。また、開
口領域Ａは、ランプ８１が光束を射出する方向となっている。高電力モードで開口領域Ａ
となるように板状部材５３がスライドされることにより、開口領域Ｂから流入する空気の
速度に比べて、速度を早くすることができ、また、ランプ８１の外部（リフレクタ８１１
の外面側）に比べて内部（リフレクタ８１１の内面側）に多くの空気が流入する。開口領
域Ａから流入した空気は、リフレクタ８１１の内面側に流動して発光管８１０に流動する
ことにより、発光管８１０から熱を放熱させる。放熱させることにより温まった空気は、
リフレクタ８１１の外面側に流動して、流出口７２から流出する。このような一連の動作
により、高電力モードでの発光管８１０の冷却が行われる。
【００６９】
また、開口領域Ｂは、開口領域Ａに比べて領域が広くなっている。低電力モードで開口
領域Ｂとなるように板状部材５３がスライドされることにより、開口領域Ａから流入する
空気の速度に比べて、速度を遅くすることができ、また、ランプ８１の内部（リフレクタ
８１１の内面側）に比べて外部（リフレクタ８１１の外面側）に多くの空気が流入する。
開口領域Ｂから流入した空気は、一部はリフレクタ８１１の内面側に流動し、発光管８１
０の発熱を放熱させる。また、開口領域Ｂから流入した多くの空気はリフレクタ８１１の
外面側に流動して発光管８１０の発熱による放射熱で温まったリフレクタ８１１の熱を放
熱させる。放熱させることにより温まった空気は、流出口７２から流出する。このような
一連の動作により、低電力モードでの発光管８１０の冷却が行われる。低電力モードでの
冷却は、発光管８１０の冷却を積極的には行わない。
【００７０】
上述した、実施形態によれば以下の効果が得られる。
（１）本実施形態のプロジェクタ１によれば、流入可変部５０としての扉状部材となる
板状部材５３が、駆動部３３により駆動されることにより、スライドして移動し、高電力
モードでは開口領域Ａの範囲でダクト６０から空気を流入させる。また低電力モードでは
開口領域Ｂの範囲でダクト６０から空気を流入させる。これらにより、空気の流入量また
は流入方向を可変して、ランプ収容筐体７０の内部に空気を流入させて、ランプ８１を冷
却する。よって、電力切替制御部２０がランプ８１の駆動電力を高電力および低電力に切
替えた場合には、冷却制御部３０に制御された駆動部３３により、板状部材５３がスライ
ドして開口領域を可変することで、流入口７１から流入させる空気の流入量または流入方
向を可変して、ランプ収容筐体７０の内部に空気を流入させる。そして、ランプ８１の適
切な部位に空気を流入させることによりランプ８１を冷却するため、ランプ８１の温度を
適正な温度に冷却することができる。なお、このような構成と動作により、切替える駆動
電力の差が大きく、用いる冷却ファンの駆動電圧調整範囲が狭くても、ランプ８１の温度
を適正な温度に冷却することができる。
【００７１】
（２）本実施形態のプロジェクタ１によれば、第１実施形態での（３）〜（５）の効果
を同様に奏することができる。
（第３実施形態）
【００７２】
図４は、本発明の第３実施形態に係るプロジェクタの光源装置としてのランプを冷却す
る冷却構造を示す模式図であり、同図（ａ）は高電力モードでの流入可変部の動作を示す
模式図、同図（ｂ）は（ａ）の流入可変部の開口部を示す模式図、同図（ｃ）は低電力モ
ードでの流入可変部の動作を示す模式図であり、同図（ｄ）は（ｃ）の流入可変部の開口
部を示す模式図である。図４を用いて、冷却構造および動作を説明する。
【００７３】
本実施形態において、第１実施形態と異なる箇所は、流入可変部５０としての扉状部材
が第１実施形態では、ルーバ５１，５２であったのに対し、本実施形態では、流入口７１
の開口領域となる開口部５４０を有する１つの板状部材５４で構成されているところであ
る。それ以外は第１実施形態と同様である。なお、第１実施形態と同様の構成には、同様
の符号を付記している。
【００７４】
図４に示すように、流入可変部５０としての扉状部材であり、また流入口７１の開口領
域となる開口部５４０を有する板状部材５４は、ランプ収容筐体７０の流入口７１を覆う
形状で、流入口７１が形成される側面部に沿って設置される。そして、板状部材５４は、
駆動部３３により駆動されることにより、スライドして移動することができる。その場合
、開口部５４０は、板状部材５４のスライドにより、流入口７１の全領域の範囲内でスラ
イドすることになる。
【００７５】
また、開口部５４０の開口面積が流入口７１の開口領域となり、流入口７１からランプ
収容筐体７０に流入する空気の流入量は、開口部５４０の開口面積で設定されている。ま
た、板状部材５４がスライドすることにより、開口部５４０が移動することで、ランプ収
容筐体７０に流入する空気の流入方向を可変させる。
【００７６】
本実施形態の冷却制御部３０の動作は、第１実施形態と同様に、冷却制御部３０内の制
御情報保存部（図示省略）に保存されるランプ８１の駆動電力と検出温度とに対する板状
部材５４と冷却ファン３４との駆動方法を示す制御用テーブルに基づいて行われ、板状部
材５４を駆動する駆動部３３の動作制御と冷却ファン３４の駆動制御を行っている。
【００７７】
図４（ａ）及び（ｂ）は、高電力モードにおける板状部材５４の位置と空気の流動方向
（図中の実線矢印）を示している。高電力モードでは、板状部材５４は、開口部５４０が
流入口７１の全領域の範囲内で、ランプ８１が光束を射出する方向に位置するようにスラ
イドされる。
【００７８】
図４（ｃ）及び（ｄ）は、低電力モードにおける板状部材５４の位置と空気の流動方向
（図中の実線矢印）を示している。低電力モードでは、板状部材５４は、開口部５４０が
流入口７１の全領域の範囲内で、ランプ８１の側面側に位置するようにスライドされる。
【００７９】
なお板状部材５４は、高電力モードおよび低電力モードでスライドして、開口部５４０
の位置を固定する必要はなく、光源温度検出部３１で検出する検出温度や、外部温度検出
部３２で検出する外気温度を加味して、随時開口領域を可変することでも良い。
【００８０】
図４（ａ）及び（ｂ）に示すように、高電力モードにおいて、開口部５４０をランプ８
１が光束を射出する方向に位置するようにスライドさせることにより、ダクト６０を流動
する空気は、開口部５４０からランプ収容筐体７０に流入する。流入した空気は、ランプ
８１の外部（リフレクタ８１１の外面側）に比べて内部（リフレクタ８１１の内面側）に
多く流入する。そして、リフレクタ８１１の内面側に流動した空気は、発光管８１０に流
動することにより、発光管８１０の熱を放熱させる。放熱させることにより温まった空気
は、リフレクタ８１１の外面側に流動して、流出口７２から流出する。このような一連の
動作により、高電力モードでの発光管８１０の冷却が行われる。
【００８１】
図４（ｃ）及び（ｄ）に示すように、低電力モードにおいて開口部５４０をランプ８１
の側面側に位置するようにスライドさせることにより、ダクト６０を流動する空気は、開
口部５４０からランプ収容筐体７０に流入する。流入した空気は、ランプ８１の内部（リ
フレクタ８１１の内面側）に比べて外部（リフレクタ８１１の外面側）に多く流入する。
そして、リフレクタ８１１の外面側に流動した空気は、発光管８１０の発熱による放射熱
で温まったリフレクタ８１１の熱を放熱させる。放熱させることにより温まった空気は、
流出口７２から流出する。このような一連の動作により、低電力モードでの発光管８１０
の冷却が行われる。低電力モードでの冷却は、発光管８１０の冷却を積極的には行わない
。
【００８２】
上述した、実施形態によれば以下の効果が得られる。
（１）本実施形態のプロジェクタ１によれば、流入可変部５０としての扉状部材であり
、また流入口７１の開口領域となる開口部５４０を有する板状部材５４が、駆動部３３に
より駆動されることにより、開口部５４０をスライドして移動し、開口部５４０から空気
を流入させる。空気の流入量は開口部５４０の面積で設定され、スライドにより流入方向
を可変して、ランプ収容筐体７０の内部に空気を流入させて、ランプ８１を冷却する。よ
って、電力切替制御部２０がランプ８１の駆動電力を高電力および低電力に切替えた場合
には、冷却制御部３０に制御された駆動部３３により、板状部材５４がスライドして開口
部５４０の位置を可変することで、流入方向を可変して、ランプ収容筐体７０の内部に空
気を流入させて、ランプ８１の適切な部位に空気を流入させることによりランプ８１を冷
却するため、ランプ８１の温度を適正な温度に冷却することができる。なお、このような
構成と動作により、切替える駆動電力の差が大きく、用いる冷却ファンの駆動電圧調整範
囲が狭くても、ランプ８１の温度を適正な温度に冷却することができる。
【００８３】
（２）本実施形態のプロジェクタ１によれば、第１実施形態での（３）〜（５）の効果
を同様に奏することができる。
（第４実施形態）
【００８４】
図５は、本発明の第４実施形態に係るプロジェクタの光源装置としてのランプを冷却す
る冷却構造を示し、ダクトが分岐ダクトを備える模式図である。図５を用いて、冷却構造
および動作を説明する。
【００８５】
本実施形態において、第１実施形態と異なる箇所は、ダクト６０が、分岐ダクト６５を
備えているところである。そして、ダクト６０の一部がランプ収容筐体７０の流入口７１
に接続され、分岐ダクト６５は、プロジェクタ１を構成しランプ８１以外の発熱する構成
部を冷却させるための空気を流動させるところである。それ以外は第１実施形態と同様で
あり、第１実施形態と同様の構成には、同様の符号を付記している。なお、発熱する構成
部とは、例えば液晶パネル８２や、電源部１８や、照明光学系を構成し光束の偏光方向を
略一方向の偏光光束に変換する偏光変換素子（図示省略）などである。
【００８６】
図５に示すように、ダクト６０は、分岐ダクト６５を備えることにより、ダクト６０の
内部を流動する空気は、一部がランプ収容筐体７０の流入口７１に流入し、残りの空気は
、分岐ダクト６５の内部を流通する。なお、流入口７１から流入した空気は、ランプ収容
筐体７０の内部において、第１実施形態と同様の流動を行うことで、ランプ８１を冷却す
る。
【００８７】
上述した、実施形態によれば以下の効果が得られる。
（１）本実施形態のプロジェクタ１によれば、ダクト６０は、分岐ダクト６５を備え、
ダクト６０の一部はランプ収容筐体７０の流入口７１に接続され、ランプ８１の温度を適
正温度に冷却することができる。また、分岐ダクト６５を流動する空気により、ランプ８
１以外の発熱する構成部を冷却させる。従って、分岐ダクト６５を備えることにより、ラ
ンプ８１の温度を適正温度に冷却できるばかりでなく、他の発熱する構成部の冷却も兼ね
ることができる。
【００８８】
なお、本発明は、上述した実施形態に限定されず、種々の変更や改良などを加えること
が可能である。変形例を以下に述べる。
【００８９】
（変形例１）前記第１実施形態および前記第２実施形態での流入可変部５０としての扉
状部材であるルーバ５１，５２や、板状部材５３は、高電力モードおよび低電力モードに
おいて、冷却制御部３０による制御により、所定の回動角度および所定のスライド位置に
おいて流入口７１から流入する空気を可変している。その際、低電力モードにおいて、ラ
ンプ８１の温度が低下し過ぎる場合には、冷却制御部３０による制御により、ルーバ５１
，５２や板状部材５３が流入口７１を塞ぐように動作させ、流入口７１から空気がランプ
収容筐体７０内に流入させない制御を行うことで、ランプ８１の温度の過剰低下を防止す
ることでも良い。この場合、第４実施形態のようにダクト６０に分岐ダクト６５を設ける
ことにより、流入口７１への流入を止められた空気を分岐ダクト６５に流入させることで
も良い。
【００９０】
（変形例２）前記第１実施形態において、流入可変部５０としての扉状部材は、２つの
ルーバ５１，５２を使用しているが、これに限らず、１つのルーバを使用しても良いし、
３つ以上のルーバを使用しても良い。
【００９１】
（変形例３）前記第３実施形態において、開口部５４０は、板状部材５４のスライドに
より、流入口７１の全領域の範囲内でスライドしているが、これに限らず、範囲外までス
ライドしても良い。この場合、開口部５４０の開口領域の面積とランプ８１の冷却度合な
どとの関係を実験により求め、制御用テーブルとして冷却制御部３０に制御させることで
良い。
【００９２】
（変形例４）前記第３実施形態において、開口部５４０は、図４（ｂ）に示すように板
状部材５４内に形成されているが、これに限らず、切欠形状で形成されても良い。その場
合、形成された切欠形状の開口部と、流入口７１が設置される壁面などとにより空気を流
入させる開口領域を形成させるのが良い。
【００９３】
（変形例５）前記第５実施形態における分岐ダクトは、１つの分岐ダクト６５の例を示
したが、分岐ダクトは複数備えても良い。また、複数の分岐ダクトの１つをランプ収容筐
体７０の流入口７１と接続しても良い。また、複数の分岐ダクトを使用して発熱する複数
の構成部を冷却するための空気を流動させることでも良い。
【００９４】
（変形例６）前記実施形態において、プロジェクタ１は、光源温度検出部３１および外
部温度検出部３２を備えているが、これに限らず、外部温度検出部３２を構成から外すこ
とも可能である。この場合、光源温度検出部３１で検出されるランプ８１の温度に基づき
冷却制御部３０が動作する。
【００９５】
（変形例７）前記実施形態において、電力切替制御部２０は、ランプ８１を駆動する駆
動電力を高電力と低電力との２種類の駆動電力を用いて、電力切替えを行っているが、２
種類以上の駆動電力を用いて電力切替えを行っても良く、本発明の効果を同様に奏するこ
とができる。
【００９６】
（変形例８）前記実施形態でのプロジェクタ１は、光学系８０を構成する光変調部とし
て液晶パネル８２を用いている。しかし、これに限らず、一般に、入射光を画像情報に応
じて変調するものであればよく、マイクロミラー型光変調装置などを用いても良い。なお
、マイクロミラー型光変調装置としては、例えば、ＤＭＤ（Digital Micromirror Device
）（米国ＴＩ社の商標）を用いることができる。
【００９７】
（変形例９）前記実施形態での光学系８０は、透過型液晶方式の液晶パネル８２を用い
ている。しかし、これに限らず、反射型液晶方式であるＬＣＯＳ（Liquid Crystal On Si
licon）方式の液晶パネルなどを用いる光学系としても良い。
【００９８】
（変形例１０）前記実施形態でのプロジェクタ１は、光学系８０を構成する光変調部と
して液晶パネル８２を３枚使用する３板方式を用いている。しかし、これに限らず、液晶
パネルを１枚使用する単板方式を用いても良い。なお、単板方式を用いた場合には、照明
光学系での色分離および色合成光学系などは不要とすることができる。また、液晶パネル
を４枚でも、２枚としても良く、液晶パネルの枚数は問わない。
【００９９】
（変形例１１）前記実施形態でのプロジェクタ１は、外部に設置されるスクリーン１５
０に光学像の投射を行うフロントタイプのプロジェクタ１を用いている。しかし、これに
限らず、プロジェクタの内部にスクリーンを有して、そのスクリーンに光学像を投射する
リアタイプのプロジェクタを用いても良い。
【０１００】
（変形例１２）前記実施形態でのプロジェクタ１は、冷却制御部３０の動作は、冷却制
御部３０内の制御情報保存部に保存されるランプ８１の駆動電力と検出温度とに対する板
状部材５４と冷却ファン３４との駆動方法を示す制御用テーブルに基づいて行われ、板状
部材５４を駆動する駆動部３３の動作制御と冷却ファン３４の駆動制御を行っているが、
しかし、これに限らず、板状部材５４を駆動する駆動部３３の動作制御は、ランプ８１の
駆動電力のみに基づいて行っても良い。
【０１０１】
（変形例１３）前記実施形態でのプロジェクタ１は、チューナ１１を有しており、テレ
ビジョン放送を受信しているが、これに限らず、チューナを有さず、外部接続機器１００
の映像のみを投射するようにしても良い。
【図面の簡単な説明】
【０１０２】
【図１】本発明の第１実施形態に係るプロジェクタの構成を示すブロック図。
【図２】光源装置としてのランプを冷却する冷却構造を示す模式図であり、同図（ａ）は、高電力モードでの流入可変部の動作を示す模式図、同図（ｂ）は、低電力モードでの流入可変部の動作を示す模式図。
【図３】本発明の第２実施形態に係るプロジェクタの光源装置としてのランプを冷却する冷却構造を示す模式図。
【図４】本発明の第３実施形態に係るプロジェクタの光源装置としてのランプを冷却する冷却構造を示す模式図であり、同図（ａ）は高電力モードでの流入可変部の動作を示す模式図、同図（ｂ）は（ａ）の流入可変部の開口部を示す模式図、同図（ｃ）は低電力モードでの流入可変部の動作を示す模式図であり、同図（ｄ）は（ｃ）の流入可変部の開口部を示す模式図。
【図５】本発明の第４実施形態に係るプロジェクタの光源装置としてのランプを冷却する冷却構造を示し、ダクトが分岐ダクトを備える模式図。
【符号の説明】
【０１０３】
１…プロジェクタ、１０…制御部、１８…電源部、２０…電力切替制御部、２１…ラン
プ駆動部、３０…冷却制御部、３１…光源温度検出部、３２…外部温度検出部、３３…駆
動部、３４…冷却ファン、４０…外装ケース、４１…吸気口、５０…流入可変部、５１，
５２…扉状部材であるルーバ、５３，５４…扉状部材である板状部材、６０…ダクト、６
５…分岐ダクト、７０…光源装置収容筐体としてのランプ収容筐体、７１…流入口、７２
…流出口、８０…光学系、８１…光源装置としてのランプ、８２…液晶パネル、８３…投
射レンズ、５１０，５２０…支点、５４０…開口部、８１０…発光管、８１１…リフレク
タ。
【図１】
2007279110.tif 000003
【図２】
2007279110.tif 000004
【図３】
2007279110.tif 000005
【図４】
2007279110.tif 000006
【図５】
2007279110.tif 000007